(57)【特許請求の範囲】
【請求項１】
貯蔵室内に配して前後方向にスライド可能な収納ケースと、前記収納ケースの前面の上端に設けられた左右に延びるリブ状の前面レール部と、前記収納ケースの背面に設けられるとともに前記前面レール部よりも下方に下面を配した左右に延びる背面レール部と、前記収納ケースの前壁に跨設して前記前面レール部に係合摺動する前方可動部と、前記収納ケースの背壁に跨設して前記背面レール部に係合摺動する後方可動部と、前記前方可動部と前記後方可動部とを連結する縦仕切部とを備え、前記前方可動部が前記前面レール部に係合する鉤状の係合部を有するとともに、前記後方可動部が前記収納ケースの背面に沿って上下に延びる第１弾性部と、第１弾性部から前方に突出して前記背面レール部の下面に係合する第１爪部とを有することを特徴とする冷蔵庫。
【請求項２】
前記収納ケースの両側面に設けられるとともに前記前面レール部よりも下方に下面を配した前後に延びる側面レール部と、前記収納ケースの両側壁にそれぞれ跨設して前記側面レール部に係合摺動する一対の側方可動部と、前記縦仕切部に交差して前記側方可動部間を連結する横仕切部とを備え、前記側方可動部が前記収納ケースの側面に沿って上下に延びる第２弾性部と、第２弾性部から前記収納ケースの側壁に向かって突出して前記側面レール部の下面に係合する第２爪部とを有することを特徴とする請求項１に記載の冷蔵庫。
【請求項３】
前記収納ケースの側面に突設されるとともに第２弾性部の下端に近接して前記側面レール部に平行な突設部を備えることを特徴とする請求項２に記載の冷蔵庫。
【請求項４】
前記縦仕切部が一または上下に並設される複数の縦連結体を有して前記横仕切部が一または上下に並設される複数の横連結体を有し、隣接する上方の前記縦連結体と下方の前記横連結体との距離が、前記側面レール部に対する第２爪部の係合位置と係合解除状態の保持位置との上下方向の距離よりも大きいことを特徴とする請求項２または請求項３に記載の冷蔵庫。
【請求項５】
前記縦仕切部が一または上下に並設される複数の縦連結体を有して前記横仕切部が一または上下に並設される複数の横連結体を有するとともに、上端の前記縦連結体が挿通される第１挿通部と上端の前記横連結体が挿通される第２挿通部とを有する操作部を備え、前記操作部が前記縦連結体及び前記横連結体を挟持して前記操作部の移動をロックするロック状態と、前記ロック状態を解除するロック解除状態とに可変に形成され、前記ロック解除状態で第１挿通部の下面と第１挿通部に挿通される前記縦連結体との隙間が、前記側面レール部に対する第２爪部の係合位置と係合解除状態の保持位置との上下方向の距離よりも大きいことを特徴とする請求項２または請求項３に記載の冷蔵庫。
【発明の詳細な説明】
【技術分野】
【０００１】
本発明は、収納ケース内に仕切りを設けた冷蔵庫に関する。
【背景技術】
【０００２】
従来の冷蔵庫は特許文献１に開示されている。この冷蔵庫は複数の貯蔵室を備え、所定の貯蔵室内には前後にスライドする収納ケースが配される。収納ケースには内部を左右に仕切る縦仕切部と、前後に仕切る横仕切部とが設けられる。
【０００３】
収納ケースの内壁上には周方向に延びる溝部が設けられ、溝部内にはレール及び可動部が配される。可動部はレールに係合摺動してレールの長手方向に移動可能になっている。溝部の開口面は長手方向に延びる挿通口を有したカバーにより覆われる。縦仕切部の前端部は収納ケースの前壁の可動部に挿通口を介して連結され、縦仕切部の後端部は収納ケースの背壁の可動部に挿通口を介して連結される。横仕切部の両側端部はそれぞれ収納ケースの両側壁の可動部に挿通口を介して連結される。
【０００４】
収納ケースの前壁及び背壁のレール上を可動部が摺動して縦仕切部を左右方向に平行移動させることができる。また、収納ケースの両側壁のレール上を可動部が摺動して横仕切部を前後方向に平行移動させることができる。これにより、収納ケース内を所望の位置で仕切ることができる。
【先行技術文献】
【特許文献】
【０００５】
【特許文献１】米国特許出願公開第２０１０／０３１９３９１号（第３図、第５図）
【発明の概要】
【発明が解決しようとする課題】
【０００６】
しかしながら、上記従来の冷蔵庫によると、縦仕切部及び横仕切部は収納ケースの内壁に埋設した可動部に連結される。このため、収納ケースの清掃時等に縦仕切部及び横仕切部を収納ケースから容易に取り外すことができず、冷蔵庫の利便性が悪い問題があった。
【０００７】
本発明は、利便性を向上できる冷蔵庫を提供することを目的とする。
【課題を解決するための手段】
【０００８】
上記目的を達成するために本発明は、貯蔵室内に配して前後方向にスライド可能な収納ケースと、前記収納ケースの前面の上端に設けられた左右に延びるリブ状の前面レール部と、前記収納ケースの背面に設けられるとともに前記前面レール部よりも下方に下面を配した左右に延びる背面レール部と、前記収納ケースの前壁に跨設して前記前面レール部に係合摺動する前方可動部と、前記収納ケースの背壁に跨設して前記背面レール部に係合摺動する後方可動部と、前記前方可動部と前記後方可動部とを連結する縦仕切部とを備え、前記前方可動部が前記前面レール部に係合する鉤状の係合部を有するとともに、前記後方可動部が前記収納ケースの背面に沿って上下に延びる第１弾性部と、第１弾性部から前方に突出して前記背面レール部の下面に係合する第１爪部とを有することを特徴としている。
【０００９】
また本発明は上記構成の冷蔵庫において、前記収納ケースの背面に突設されるとともに第１弾性部の下端に近接して前記背面レール部に平行な突設部を備えることを特徴としている。
【００１０】
また本発明は上記構成の冷蔵庫において、前記収納ケースの両側面に設けられるとともに前記前面レール部よりも下方に下面を配した前後に延びる側面レール部と、前記収納ケースの両側壁にそれぞれ跨設して前記側面レール部に係合摺動する一対の側方可動部と、前記縦仕切部に交差して前記側方可動部間を連結する横仕切部とを備え、前記側方可動部が前記収納ケースの側面に沿って上下に延びる第２弾性部と、第２弾性部から前記収納ケースの側壁に向かって突出して前記側面レール部の下面に係合する第２爪部とを有することを特徴としている。
【００１１】
また本発明は上記構成の冷蔵庫において、前記収納ケースの側面に突設されるとともに第２弾性部の下端に近接して前記側面レール部に平行な突設部を備えることを特徴としている。
【００１２】
また本発明は上記構成の冷蔵庫において、前記縦仕切部が一または上下に並設される複数の縦連結体を有して前記横仕切部が一または上下に並設される複数の横連結体を有し、隣接する上方の前記縦連結体と下方の前記横連結体との距離が、前記側面レール部に対する第２爪部の係合位置と係合解除状態の保持位置との上下方向の距離よりも大きいことを特徴としている。
【００１３】
また本発明は上記構成の冷蔵庫において、前記縦仕切部が一または上下に並設される複数の縦連結体を有して前記横仕切部が一または上下に並設される複数の横連結体を有するとともに、上端の前記縦連結体が挿通される第１挿通部と上端の前記横連結体が挿通される第２挿通部とを有する操作部を備え、前記操作部が前記縦連結体及び前記横連結体を挟持して前記操作部の移動をロックするロック状態と、前記ロック状態を解除するロック解除状態とに可変に形成され、前記ロック解除状態で第１挿通部の下面と第１挿通部に挿通される前記縦連結体との隙間が、第２爪部の前記係合位置と前記保持位置との上下方向の距離よりも大きいことを特徴としている。
【００１４】
また本発明は上記構成の冷蔵庫において、第２爪部の先端及び前記側面レール部の先端の一方または両方が下方を外側に傾斜した傾斜面を有することを特徴としている。
【００１５】
また本発明は上記構成の冷蔵庫において、前記収納ケースが左右に延びる溝部を介して前記前面レール部の下方に隣接する把手部を有し、前記係合部が前記溝部に遊嵌されることを特徴としている。
【発明の効果】
【００１６】
本発明によると、収納ケースの前壁に跨設した前方可動部と背壁に跨設した後方可動部との間に縦仕切部が連結される。これにより、縦仕切部４１が前後の両端で支持され、安定して左右方向に移動させることができる。また、前方可動部の鉤状の係合部が収納ケースの前壁の上端に突設したリブ状の前面レール部に係合し、後方可動部に第１弾性部を介して設けた第１爪部が背面レール部に係合する。このため、第１弾性部に抗して第１爪部の係合を解除し、前方可動部、後方可動部及び縦仕切部を一体に前方に回動させて縦仕切部が取り外される。従って、縦仕切部を容易に取り外して収納ケースの清掃等を行うことができ、冷蔵庫の利便性を向上することができる。更に、収納ケースの前面は上下に延びる弾性部が形成されないため美観を損なわれない。
【図面の簡単な説明】
【００１７】
【図１】本発明の第１実施形態の冷蔵庫を示す側面断面図
【図２】本発明の第１実施形態の冷蔵庫の上段ケースを示す斜視図
【図３】本発明の第１実施形態の冷蔵庫の上段ケースの前部を示す側面断面図
【図４】本発明の第１実施形態の冷蔵庫の上段ケースの後部を示す側面断面図
【図５】本発明の第１実施形態の冷蔵庫の上段ケースの右部を示す正面断面図
【図６】本発明の第１実施形態の冷蔵庫の上段ケースの縦仕切部を取り外す状態を示す側面断面図
【図７】本発明の第１実施形態の冷蔵庫の上段ケースの側方可動部の係合状態を示す拡大図
【図８】本発明の第１実施形態の冷蔵庫の上段ケースの他の側方可動部の係合状態を示す拡大図
【図９】本発明の第１実施形態の冷蔵庫の上段ケースの他の側方可動部の係合状態を示す拡大図
【図１０】本発明の第２実施形態の冷蔵庫の上段ケースを示す斜視図
【図１１】本発明の第２実施形態の冷蔵庫の操作部を示す正面図
【図１２】本発明の第２実施形態の冷蔵庫の操作部の把持部を省いた斜視図
【図１３】図１０のＡ線を通る操作部の縦断面図
【図１４】本発明の第２実施形態の冷蔵庫の上段ケースの縦仕切部を取り外す状態を示す側面断面図
【図１５】本発明の第３実施形態の冷蔵庫の上段ケースの後部を示す側面断面図
【図１６】本発明の第３実施形態の冷蔵庫の上段ケースの右部を示す正面断面図
【図１７】本発明の第４実施形態の冷蔵庫の上段ケースを示す斜視図
【図１８】本発明の第４実施形態の冷蔵庫の上段ケースの前方可動部の上部を示す側面断面図
【図１９】本発明の第４実施形態の冷蔵庫の上段ケースの後方可動部の上部を示す側面断面図
【図２０】本発明の第４実施形態の冷蔵庫の上段ケースの側方可動部の上部を示す側面断面図
【発明を実施するための形態】
【００１８】
＜第１実施形態＞
以下に図面を参照して本発明の実施形態を説明する。図１は第１実施形態の冷蔵庫の側面断面図を示している。冷蔵庫１は発泡断熱材を充填した断熱箱体３により形成される本体部２を有している。
【００１９】
本体部２の上部には冷蔵室５が設けられる。冷蔵室５の下方には仕切壁１１を介して冷凍室７、８が設けられる。冷凍室７及び冷凍室８は上下方向に並設して連通し、本体部２の前部に配される左右に延びた仕切部１３により区分けされる。冷凍室８の下方には断熱材を充填した仕切壁１２を介して野菜室９が設けられる。断熱箱体３の下部後方には機械室２０が設けられる。
【００２０】
冷蔵室５は貯蔵物を冷蔵保存し、野菜室９は冷蔵室５よりも高温に維持して野菜等の貯蔵物を冷蔵保存する。冷凍室７及び冷凍室８は貯蔵物を冷凍保存する。機械室２０内には冷凍サイクルを運転する圧縮機２１が配される。
【００２１】
冷蔵室５は左右端でそれぞれ枢支された観音開きの一対の扉１５により開閉される。冷凍室７、冷凍室８及び野菜室９はそれぞれ前後にスライドする扉１７、１８、１９により開閉される。
【００２２】
扉１７の背面には樹脂製の収納ケース３１が一体に形成される。冷凍室７の側壁に設けたレール７ａ上を収納ケース３１が摺動し、扉１７が収納ケース３１と一体に前後にスライドする。
【００２３】
扉１８には背面の両側部から後方に延びる一対のフレーム１８ａが設けられ、フレーム１８ａ上には樹脂製の収納ケース３２が載置される。フレーム１８ａ内には複数のローラ（不図示）が配され、冷凍室８の両側壁に設けたレール溝（不図示）上をローラが転動して扉１８が収納ケース３２と一体に前後にスライドする。
【００２４】
野菜室９の扉１９も同様に、背面の両側部から後方に延びる一対のフレーム１９ａが設けられ、フレーム１９ａ上には樹脂製の収納ケース３３が載置される。フレーム１９ａ内には複数のローラ（不図示）が配され、野菜室９の両側壁に設けたレール溝（不図示）上をローラが転動して扉１９が収納ケース３３と一体に前後にスライドする。
【００２５】
また、野菜室９の収納ケース３３は下方に配してフレーム１９ａ上に載置される下段ケース３４と、下段ケース３４上に載置される上段ケース３５とを有している。上段ケース３５は下段ケース３４上を摺動して前後にスライドする。
【００２６】
冷凍室７、８の背面部には冷気通路２４が設けられ、冷蔵室５の背面部には冷気通路２４とダンパ（不図示）を介して連通する冷気通路２５が設けられる。冷気通路２４には冷却器２２及び送風機２３が配され、冷凍室７に臨む吐出口２４ａ及び冷却器２２に冷気を戻す戻り口２４ｂが開口する。冷却器２２は圧縮機２１に接続され、冷気を生成する。
【００２７】
冷気通路２５には冷蔵室５に臨む吐出口２５ａが開口し、冷蔵室５からは野菜室９に連通する連通路（不図示）が導出される。野菜室９には冷却器２２に冷気を戻す戻り口（不図示）が設けられる。
【００２８】
圧縮機２１及び送風機２３の駆動によって冷気通路２４を流通する空気が冷却器２２と熱交換して冷気が生成され、吐出口２４ａから冷凍室７に吐出される。冷凍室７に吐出された冷気により冷凍室７及び冷凍室８内が冷却される。冷凍室７及び冷凍室８を流通した冷気は戻り口２４ｂを介して冷却器２２に戻る。
【００２９】
また、ダンパが開かれると冷気通路２４を流通する冷気の一部が冷気通路２５に流入し、吐出口２５ａから冷蔵室５に吐出される。冷蔵室５に吐出された冷気により冷蔵室５内が冷却される。冷蔵室５を流通した冷気は連通路を介して野菜室９に流入し、野菜室９が冷蔵室５よりも高温に維持される。野菜室９を流通した冷気は戻り口を介して冷却器２２に戻る。
【００３０】
図２は野菜室９の収納ケース３３の上段ケース３５を示す斜視図である。上段ケース３５の両側端部の下面には下段ケース３４（図１参照）の側壁上に載置される脚部３５ｄが突設される。上段ケース３５の前壁３５ａには手指を掛けて上段ケース３５を引き出すための把手部３５ｅが設けられる。
【００３１】
また、上段ケース３５の前壁３５ａには壁面に沿って左右方向に移動する前方可動部５１が設けられる。上段ケース３５の背壁３５ｂには壁面に沿って左右方向に移動する後方可動部５２が設けられる。上段ケース３５の両側壁３５ｃにはそれぞれ壁面に沿って前後方向に移動する一対の側方可動部５３が設けられる。
【００３２】
前方可動部５１と後方可動部５２とは縦仕切部４１により連結される。縦仕切部４１は前方可動部５１と後方可動部５２とを連結して上下に並設された棒状部材から成る複数の縦連結体４１ａ、４１ｂ（図３参照）を有している。
【００３３】
左右の側方可動部５３は縦仕切部４１に交差する横仕切部４２により連結される。横仕切部４２は両側方可動部５３を連結して上下に並設された棒状部材から成る横連結体４２ａ、４２ｂ（図５参照）を有している。横連結体４２ａ、４２ｂは縦連結体４１ａ、４１ｂと異なる高さに配置される。
【００３４】
図３、図４は上段ケース３５の前部及び後部の側面断面図を示している。また、図５は上段ケース３５の右部の正面断面図を示している。上段ケース３５の前面には前壁３５ａの上端から前方に突出する左右に延びたリブ状の前面レール部７１が設けられる。前面レール部７１は左右に延びた溝部７４を介して把手部３５ｅに隣接する。
【００３５】
上段ケース３５の背面には背壁３５ｂの上端をコ字状に屈曲して左右に延びた背面レール部７２が設けられる。背面レール部７２の下面は前面レール部７１よりも下方に配置されている。上段ケース３５の両側面には側壁３５ｃから突出する前後に延びたリブ状の側面レール部７３が設けられる。側面レール部７３の下面は前面レール部７１よりも下方に配置されている。
【００３６】
また、背面レール部７２の下方には背面レール部７２に平行なリブ状の突設部７５が背壁３５ｂから突出して設けられる。側面レール部７３の下方には側面レール部７３に平行なリブ状の突設部７６が側壁３５ｃから突出して設けられる。突設部７５、７６はそれぞれ後述する弾性部５２ｄ、５３ｄの下端に近接して配される。
【００３７】
上段ケース３５の前壁３５ａに跨設される前方可動部５１は上面部５１ａ、連結部５１ｂ及び係合部５１ｄを有している。上面部５１ａは前壁３５ａ上に載置される。連結部５１ｂは上面部５１ａから前壁３５ａの内面に沿って下方に延び、上下に並設される複数の孔部５１ｃが設けられる。
【００３８】
係合部５１ｄは上面部５１ａの前端から鉤状に屈曲し、リブ状の前面レール部７１に係合する。係合部５１ｄの先端は上下方向の所定の隙間を有して溝部７４に遊嵌されている。これにより、前方可動部５１は前面レール部７１に係合摺動し、左右方向に移動可能に配される。
【００３９】
上段ケース３５の背壁３５ｂに跨設される後方可動部５２は上面部５２ａ、連結部５２ｂ及び弾性部５２ｄを有している。上面部５２ａは背壁３５ｂ上に載置される。連結部５２ｂは上面部５２ａから背壁３５ｂの内面に沿って下方に延び、上下に並設される複数の孔部５２ｃが設けられる。
【００４０】
弾性部５２ｄ（第１弾性部）は上面部５２ａから上段ケース３５の背面に沿って背面レール部７２よりも下方まで上下に延びて形成される。弾性部５２ｄの下部には背壁３５ｂの方向に突出して背面レール部７２の下面に係合する爪部５２ｅ（第１爪部）が設けられる。これにより、後方可動部５２は背面レール部７２に係合摺動し、左右方向に移動可能に配される。爪部５２ｅの下部には下方が背壁３５ｂから外側に離れる方向に傾斜する傾斜面５２ｆが形成される。
【００４１】
また、背面レール部７２の下面が前面レール部７１よりも下方に配されるため、上下方向に延びる弾性部５２ｄが前後方向に弾性変形する。これにより、爪部５２ｅが弾性部５２ｄの弾性によって背面レール部７２に対する係合位置と係合解除位置との間を前後に可動する。
【００４２】
上段ケース３５の両側壁３５ｃに跨設される側方可動部５３は後方可動部５２と同様に構成され、上面部５３ａ、連結部５３ｂ及び弾性部５３ｄを有している。上面部５３ａは側壁３５ｃ上に載置される。連結部５３ｂは上面部５３ａから側壁３５ｃの内面に沿って下方に延び、上下に並設される複数の孔部５３ｃが設けられる。
【００４３】
弾性部５３ｄ（第２弾性部）は上面部５３ａから上段ケース３５の側面に沿って側面レール部７３よりも下方まで上下に延びて形成される。弾性部５３ｄの下部には側壁３５ｃの方向に突出して側面レール部７３の下面に係合する爪部５３ｅ（第２爪部）が設けられる。これにより、側方可動部５３は側面レール部７３に係合摺動し、前後方向に移動可能に配される。爪部５３ｅの下部には下方が側壁３５ｃから外側に離れる方向に傾斜する傾斜面５３ｆが形成される。
【００４４】
また、側面レール部７３の下面が前面レール部７１よりも下方に配されるため、上下方向に延びる弾性部５３ｄが前後方向に弾性変形する。これにより、爪部５３ｅが弾性部５３ｄの弾性によって側面レール部７３に対する係合位置と係合解除位置との間を前後に可動する。
【００４５】
上面部５１ａ、上面部５２ａ及び上面部５３ａはそれぞれ連結部５１ｂ、連結部５２ｂ、連結部５３ｂよりも広い幅に形成される。係合部５１ｄは上面部５１ａの左右の端部にそれぞれ設けられる。弾性部５２ｄは上面部５２ａの左右の端部にそれぞれ設けられる。弾性部５３ｄは上面部５３ａの前後の端部にそれぞれ設けられる。これにより、前方可動部５１、後方可動部５２及び側方可動部５３の摺動時のがたつきを低減することができる。
【００４６】
尚、前方可動部５１の係合部５１ｄと後方可動部５２の弾性部５２ｄとの内面間の距離を前面レール部７１と背面レール部７２との外面間の距離よりも若干小さく形成してもよい。これにより、弾性部５２ｄは図４の一点鎖線５２ｄ’に示すように弾性によって下方が広がる方向に傾斜する。
【００４７】
野菜室９に収納される上段ケース３５は冷却により収縮するため弾性部５２ｄの傾斜が解消される。従って、上段ケース３５の収縮時のがたつきを抑制して前方可動部５１及び後方可動部７２を容易に左右移動させることができる。この時、係合部５１ｄは上下方向に短く殆ど弾性変形しないため、前壁３５ａの上部を弾性により前後に傾斜可能に形成してもよい。
【００４８】
同様に、左右の側方可動部５３ｄの内面間の距離を側面レール部７３の外面間の距離よりも若干小さく形成してもよい。これにより、弾性部５３ｄは図５の一点鎖線５３ｄ’に示すように弾性によって下方が広がる方向に傾斜する。従って、上段ケース３５の収縮時のがたつきを抑制して側方可動部５３を容易に前後移動させることができる。
【００４９】
縦仕切部４１は縦連結体４１ａ及び縦連結体４１ｂの両端をそれぞれ孔部５１ｃ、５２ｃに嵌挿して前方可動部５１と後方可動部５２とを連結する。横仕切部４２は横連結体４２ａ及び横連結体４２ｂの両端をそれぞれ左右の孔部５３ｃに嵌挿して左右の側方可動部５３を連結する。本実施形態では上方から順に横連結体４２ａ、縦連結体４１ａ、縦連結体４１ｂ、横連結体４２ｂが配置される。横連結体４２ａの上方に縦連結体４１ａを配置してもよく、横連結体４２ｂの下方に縦連結体４１ｂを配置してもよい。
【００５０】
上記構成の冷蔵庫１において、野菜室９の収納ケース３３を引き出すと、上段ケース３５内に貯蔵物を出し入れすることができる。縦仕切部４１の縦連結体４１ａを把持して左右方向に移動させると、前方可動部５１及び後方可動部５２がそれぞれ前面レール部７１及び背面レール部７２に摺動する。これにより、縦仕切部４１が前方可動部５１及び後方可動部５２と一体に左右方向に平行移動する。
【００５１】
また、横仕切部４２の横連結体４２ａを把持して前後方向に移動させると、側方可動部５３が側面レール部７３に摺動する。これにより、横仕切部４２が側方可動部５３と一体に前後方向に平行移動する。従って、縦仕切部４１及び横仕切部４２を容易に所望の位置に配置することができる。
【００５２】
この時、縦仕切部４１の前後の両端が前方可動部５１及び後方可動部５２に支持されるため、縦仕切部４１を安定して移動させることができる。また、横仕切部４２の左右の両端が側方可動部５３に支持されるため、横仕切部４２を安定して移動させることができる。
【００５３】
上段ケース３５の清掃時等には縦仕切部４１及び横仕切部４２が取り外される。まず、左右の側方可動部５３の爪部５３ｅの係合が弾性部５３ｄに抗して解除される。次に、後方可動部５２の爪部５２ｅの係合が弾性部５２ｄに抗して解除される。そして、図６の側面断面図に示すように、係合部５１ｄを中心に前方可動部５１、後方可動部５２及び縦仕切部４１が一体に前方へ回動させて取り外される。また、上段の縦連結体４１ａが上段の横連結体４２ａに当接すると、側方可動部５３及び横仕切部４２が一体に持ち上げられて取り外される。
【００５４】
この時、側方可動部５３の爪部５３ｅの係合を解除して係合解除状態の保持位置まで側方可動部５３を上昇させた後に、後方可動部５２の爪部５２ｅの係合が解除される。
【００５５】
図７は爪部５３ｅの係合位置と保持位置との推移を示す拡大図である。係合位置の爪部５３ｅの上面は側面レール部７３の下面に近接して対向する。爪部５３ｅは係合位置から側面レール部７３との係合が解除される係合解除位置に略平行に移動し、上昇して保持位置に配される。保持位置の爪部５３ｅ（図中、一点鎖線で示す）は傾斜面５３ｆが側面レール部７３の上面の先端に当接する。これにより、弾性部５３ｄの弾性によって側方可動部５３が上方に力を受け、爪部５３ｅの係合位置への復帰が阻止されて爪部５３ｅの係合解除状態が保持される。
【００５６】
この時、隣接する下段の縦連結体４１ｂと下段の横連結体４２ｂとの距離Ｄ１（図５参照）が、爪部５３ｅの係合位置と保持位置との上下方向の距離Ｅよりも大きく形成される。これにより、下方の横連結体４２ｂと上方の縦連結体４１ｂとを干渉させずに側方可動部５３の爪部５３ｅを持ち上げて保持位置に配置することができる。従って、縦仕切部４１及び横仕切部４２を容易に取り外すことができる。
【００５７】
爪部５３ｅは上下方向の長さＬを大きく形成することにより強度を高くできる。この時、爪部５３ｅの下部に傾斜面５３ｆを設けているため、長さＬを大きくしても係合位置と保持位置との距離Ｅを小さくすることができる。これにより、係合位置の爪部５３ｅを容易に保持位置に配置することができる。また、後方可動部５２の爪部５２ｅも同様に傾斜面５２ｆを有するため（図４参照）、係合位置の爪部５２ｅを容易に保持位置に配置することができる。
【００５８】
尚、上段の縦連結体４１ａが上段の横連結体４２ｂよりも上方に配される場合は、これらの距離が距離Ｅよりも大きく形成される。即ち、隣接する上方の縦連結体と下方の横連結体との距離が距離Ｅよりも大きく形成されていればよい。
【００５９】
爪部５３ｅ及び側面レール部７３は他の形状にしてもよい。図８は爪部５３ｅの変形例を示す拡大図である。この爪部５３ｅは下面を水平面に形成され、傾斜面５３ｆ（図７参照）が省かれる。係合位置の爪部５３ｅの上面は側面レール部７３の下面に近接して対向する。保持位置の爪部５３ｅ（図中、一点鎖線で示す）は側面レール部７３を乗り越え、爪部５３ｅの下面が側面レール部７３の上面に当接する。このため、側面レール部７３により爪部５３ｅの係合位置への復帰が阻止されて係合解除状態が保持される。
【００６０】
図９は側面レール部７３の変形例を示す拡大図である。この側面レール部７３は先端部の上面に下方が側壁３５ｃから外側に離れる方向に傾斜する傾斜面７３ａが形成される。係合位置の爪部５３ｅの上面は側面レール部７３の下面に近接して対向する。保持位置の爪部５３ｅ（図中、一点鎖線で示す）は傾斜面５３ｆが傾斜面７３ａの先端に当接する。これにより、弾性部５３ｄの弾性によって側方可動部５３が上方に力を受け、爪部５３ｅの係合位置への復帰が阻止されて係合解除状態が保持される。
【００６１】
この時、側面レール部７３の上面に傾斜面７３ａが設けられるので、爪部５３ｅの係合位置と保持位置との距離Ｅをより小さくできる。これにより、係合位置の爪部５３ｅを容易に保持位置に配置することができる。
【００６２】
また、上段ケース３５を収納ケース３３から取り外す際に、上段ケース３５の側壁３５ｃに設けた突設部７６（図５参照）に両手の手指を掛けて上段ケース３５が持ち上げられる。この時、突設部７６が弾性部５３ｄの下端に近接するため、弾性部５３ｄに誤って手指を掛けて爪部５３ｅが係合解除されることを防止できる。このため、爪部５３ｅが係合解除されて上段ケース３５が落下した際の衝撃による上段ケース３５の破損を防止することができる。
【００６３】
同様に、上段ケース３５の背壁３５ｂに設けた突設部７５（図４参照）が弾性部５２ｄの下端に近接する。このため、弾性部５２ｄに誤って手指を掛けて爪部５２ｅが係合解除されることを防止し、上段ケース３５の落下による破損を防止することができる。
【００６４】
本実施形態によると、上段ケース３５（収納ケース）の前壁３５ａに跨設した前方可動部５１と背壁３５ｂに跨設した後方可動部５２との間に縦仕切部４１が連結される。上段ケース３５の両側壁３５ｃに跨設した側方可動部５３間に横仕切部４２が連結される。これにより、縦仕切部４１及び横仕切部４２が両端で支持され、安定して移動させることができる。
【００６５】
また、前方可動部５１の鉤状の係合部５１ｄが上段ケース３５の前壁３５ａの上端に突設したリブ状の前面レール部７１に係合する。後方可動部５２の爪部５２ｅ（第１爪部）は弾性部５２ｄ（第１弾性部）を介して背面レール部７２に係合する。側方可動部５３の爪部５３ｅ（第２爪部）は弾性部５３ｄ（第２弾性部）を介して側面レール部７３に係合する。
【００６６】
このため、弾性部５３ｄに抗して爪部５３ｅの係合を解除して弾性部５２ｄに抗して爪部５２ｅの係合を解除し、前方可動部５１、後方可動部５２及び縦仕切部４１が一体に前方に回動して取り外される。また、縦仕切部４１の取り外しによって横仕切部４２が取り外される。従って、縦仕切部４１及び横仕切部４２を容易に取り外して上段ケース３５の清掃等を行うことができ、冷蔵庫１の利便性を向上することができる。更に、上段ケース３５の前面には弾性部５２ｄと同様の上下に延びる弾性部が形成されないため、上段ケース３５の前面の美観が損なわれない。
【００６７】
また、側面レール部７３に平行な突設部７６が弾性部５３ｄの下端に近接する。このため、上段ケース３５が持ち上げる際に弾性部５３ｄに誤って手指を掛けて爪部５３ｅが係合解除されることを防止できる。従って、上段ケース３５の落下の衝撃による破損を防止することができる。
【００６８】
同様に、背面レール部７２に平行な突設部７５が弾性部５２ｄの下端に近接する。このため、上段ケース３５が持ち上げる際に弾性部５２ｄに誤って手指を掛けて爪部５２ｅが係合解除されることを防止できる。従って、上段ケース３５の落下の衝撃による破損を防止することができる。
【００６９】
また、隣接する上方の縦連結体４１ｂと下方の横連結体４２ｂとの距離Ｄ１が、側面レール部７３に対する爪部５３ｅの係合位置と係合解除状態の保持位置との上下方向の距離Ｅよりも大きい。これにより、横連結体４２ｂと縦連結体４１ｂとを干渉させずに爪部５３ｅを持ち上げて保持位置に配置することができる。従って、縦仕切部４１及び横仕切部４２を容易に取り外すことができる。
【００７０】
また、爪部５３ｅの先端及び側面レール部７３の先端の一方または両方が下方を外側に傾斜した傾斜面５３ｆ、７３ａを有する。これにより、爪部５３ｅの係合位置と保持位置との距離Ｅを小さくして係合位置の爪部５３ｅを容易に保持位置に配置することができる。
【００７１】
また、上段ケース３５の把手部３５ｅが左右に延びる溝部７４を介して前面レール部７１の下方に隣接し、係合部５１ｄが溝部７４に遊嵌される。これにより、前面レール部７１と把手部３５ｅとの間の溝部７４内に鉤状の係合部５１ｄの先端部が隠れて見えにくくなるため、上段ケース３５の美観を向上することができる。
【００７２】
本実施形態において、横仕切部４２及び側方可動部５３を省き、縦仕切部４１により上段ケース３５内を左右のみに仕切るように構成してもよい。この場合も、上段ケース３５の前面の美観を損なうことなく、後方可動部５２の爪部５２ｅの係合解除によって縦仕切部４１を容易に取り外すことができる。
【００７３】
＜第２実施形態＞
次に、図１０は第２実施形態の冷蔵庫１の上段ケース３５の斜視図を示している。説明の便宜上、前述の図１〜図９に示す第１実施形態と同様の部分には同一の符号を付している。本実施形態は平面視した際の縦仕切部４１と横仕切部４２との交差位置に操作部８０が設けられる。その他の部分は第１実施形態と同様である。
【００７４】
操作部８０は縦仕切部４１の上段の縦連結体４１ａ及び横仕切部４２の上段の横連結体４２ａを保持する。詳細を後述するように、操作部８０の操作によって縦仕切部４１及び横仕切部４２が平行移動する。
【００７５】
図１１は操作部８０の正面図を示し、図１２は操作部８０の把持部８１を省いた斜視図を示している。また、図１３は図１０のＡ線を通る操作部８０の縦断面図を示している。操作部８０の上部は把持部８１により覆われ、下部は昇降部８３により覆われる。
【００７６】
把持部８１は略円形の平面形状に形成され、横連結体４２ａの上方に配される。把持部８１の縦断面は下面に開口部８１ｃを有した略Ｃ字状に形成される。また、把持部８１の内周面には周方向に沿って所定の角度範囲に載置部８１ａが突設される。載置部８１ａの上面は周方向に沿って水平に対して傾斜する傾斜面により形成される。
【００７７】
把持部８１の内部には上壁内面に当接する挟持部８２が配される。挟持部８２は開口部８１ｃの下方に延びる筒部８２ａを有している。筒部８２ａの周壁には下面を開放した対向する溝部（不図示）が二対形成される。一方の一対の溝部は縦連結体４１ａが挿通され、溝部の上端から径方向に突出した腕部８２ｃが縦連結体４１ａに当接する。他方の一対の溝部は横連結体４２ａが挿通され、溝部の上端から径方向に突出した腕部８２ｄが横連結体４２ａに当接する。
【００７８】
昇降部８３は把持部８１の下方に配され、上面を開口した有底筒状に形成される。昇降部８３は外筒８３ａと内筒８３ｂとを有し、外筒８３ａには上面を開放した対向する一対の溝部８３ｃ及び対向する一対の溝部８３ｄが形成される。溝部８３ｃには縦連結体４１ａが挿通され、溝部８３ｃよりも浅い溝部８３ｄには横連結体４２ａが挿通される。従って、挟持部８２の腕部８２ｃ及び昇降部８３の溝部８３ｃによって縦連結体４１ａの挿通部（第１挿通部）が形成される。また、挟持部８２の腕部８２ｄ及び昇降部８３の溝部８３ｄによって横連結体４２ａの挿通部（第２挿通部）が形成される。
【００７９】
内筒８３ｂは溝部８３ｃと溝部８３ｄとの間に配され、開口部８１ｃを介して把持部８１内に進入する。内筒８３ｂの上端には径方向外側に突出して把持部８１の載置部８１ａ上に載置される鍔部８３ｅが設けられる。
【００８０】
昇降部８３の底面と挟持部８２の筒部８２ａの下面との間には圧縮バネ（不図示）が配される。これにより、挟持部８２は上方に付勢されて把持部８１の内面に押圧され、鍔部８３ｅが載置部８１ａに当接して昇降部８３が下方に付勢される。
【００８１】
載置部８１ａの上面は周方向に沿って傾斜した傾斜面により形成されるため、把持部８１の回転により載置部８１ａと鍔部８３ｅとが摺動して昇降部８３を距離Ｄ２だけ昇降させることができる。
【００８２】
操作部８０の把持部８１を把持して所定の回転位置に配置すると、昇降部８３が上昇して縦連結体４１ａ及び横連結体４２ａが挟持部８２と昇降部８３との間に挟持される。これにより、操作部８０は移動をロックされたロック状態となる。操作部８０のロック状態では貯蔵物が縦仕切部４１や横仕切部４２にもたれ掛かっても縦仕切部４１や横仕切部４２の移動を防止することができる。
【００８３】
把持部８１を回転して昇降部８３を降下させると、昇降部８３が縦連結体４１ａ及び横連結体４２ａから下方に離れる。これにより、操作部８０はロック状態を解除したロック解除状態となる。この時、縦連結体４１ａと溝部８３ｃの底面との間及び横連結体４２ａと溝部８３ｄの底面との間には距離Ｄ２の上下方向の隙間が形成される。
【００８４】
ロック解除状態で把持部８１を把持して左右方向に移動させると、操作部８０が横連結体４２ａと摺動して縦仕切部４１が左右方向に平行移動する。また、把持部８１を把持して前後方向に移動させると、操作部８０が縦連結体４１ａと摺動して横仕切部４２が前後方向に平行移動する。これにより、縦仕切部４１及び横仕切部４２を容易に所望の位置に配置することができる。
【００８５】
上段ケース３５の清掃時等には、操作部８０をロック解除状態にして左右の側方可動部５３の爪部５３ｅの係合が弾性部５３ｄに抗して解除される。次に、後方可動部５２の爪部５２ｅの係合が弾性部５２ｄに抗して解除される。そして、図１４の側面断面図に示すように、係合部５１ｄを中心に前方可動部５１、後方可動部５２、側方可動部５３、操作部８０、縦仕切部４１及び横仕切部４２が一体に前方へ回動させて取り外される。
【００８６】
ロック解除状態では操作部８０の溝部８３ｃの底面と縦連結体４１ａとの間に距離Ｄ２の隙間が形成される。距離Ｄ２は爪部５３ｅの係合位置と保持位置との上下方向の距離Ｅ（図７、図８、図９参照）よりも大きく形成される。これにより、昇降部８３と縦連結体４１ａとを干渉させずに側方可動部５３の爪部５３ｅを持ち上げて保持位置に配置することができる。従って、縦仕切部４１及び横仕切部４２を容易に取り外すことができる。
【００８７】
本実施形態によると、第１実施形態と同様の効果を得ることができる。また、ロック解除状態で溝部８３ｃの底面（第１挿通部の下面）と縦連結体４１ａとの隙間（距離Ｄ２）が、爪部５３ｅ（第２爪部）の係合位置と係合解除状態の保持位置との上下方向の距離Ｅよりも大きい。これにより、昇降部８３と縦連結体４１ａとを干渉させずに爪部５３ｅを持ち上げて保持位置に配置することができる。従って、縦仕切部４１及び横仕切部４２を容易に取り外すことができる。
【００８８】
尚、第１、第２実施形態において、下段の縦連結体４１ｂ及び下段の横連結体４２ｂの一方または両方を省いてもよい。これにより、一の縦連結体４１ａを有する縦仕切部４１や、一の横連結体４２ａを有する横仕切部４２によって上段ケース３５内が仕切られる。
【００８９】
＜第３実施形態＞
次に、図１５は第３実施形態の冷蔵庫１の上段ケース３５の後部を示す側面断面図である。図１６は上段ケース３５の右部を示す正面断面図である。説明の便宜上、前述の図１〜図９に示す第１実施形態と同様の部分には同一の符号を付している。本実施形態は第１実施形態の縦仕切部４１及び横仕切部４２と構成の異なる縦仕切部４６及び横仕切部４７が設けられる。その他の部分は第１実施形態と同様である。
【００９０】
縦仕切部４６及び横仕切部４７は樹脂成形品の板状部材により形成される。縦仕切部４６の前後端には複数の嵌合部４６ｄが突設される。前方可動部５１の孔部５１ｃ（図３参照）及び後方可動部５２の孔部５２ｃに嵌合部４６ｄを嵌挿して縦仕切部４６の両端が支持される。横仕切部４７の左右端には複数の嵌合部４７ｄが突設される。側方可動部５３の孔部５３ｃに嵌合部４７ｄを嵌挿して横仕切部４７の両端が支持される。
【００９１】
横仕切部４７は開口部４７ｃを介して上下方向に並設される横連結体４７ａ、４７ｂを有している。縦仕切部４６は平板状であるため前方可動部５１と後方可動部５２とを連結する一の縦連結体を構成し、開口部４７ｃ内に挿通される。この時、縦仕切部４６の下端と下段の横連結体４７ｂとの上下方向の距離Ｄ１は、爪部５３ｅの係合位置と保持位置との上下方向の距離Ｅ（図７、図８、図９参照）よりも大きく形成される。これにより、側方可動部５３の爪部５３ｅの係合を容易に解除することができる。
【００９２】
本実施形態において、横仕切部４２及び側方可動部５３を省き、縦仕切部４１により上段ケース３５内を左右に仕切るように構成してもよい。この場合も、上段ケース３５の前面の美観を損なうことなく、後方可動部５２の爪部５２ｅの係合解除によって縦仕切部４１を容易に取り外すことができる。
【００９３】
また、複数の横連結体４２ａ、４２ｂを有した横仕切部４２と、一の縦連結体から成る縦仕切部４１を備えるが、一の横連結体から成る横仕切部４２と、複数の縦連結体を有した縦仕切部４１を備える構成でもよい。
【００９４】
＜第４実施形態＞
次に、図１７は第４実施形態の冷蔵庫１の上段ケース３５を示す斜視図である。説明の便宜上、前述の図１〜図９に示す第１実施形態と同様の部分には同一の符号を付している。本実施形態は第１実施形態の前方可動部５１にローラ５１ｒ、５１ｓ（図１８参照）が設けられ、後方可動部５２にローラ５２ｒ、５２ｓ（図１９参照）が設けられる。また、左右の側方可動部５３にローラ５３ｒ、５３ｓ（図２０参照）が設けられる。その他の部分は第１実施形態と同様である。
【００９５】
前方可動部５１の上面部５１ａには連結部５１ｂの両側方に２個のローラ５１ｒが設けられる。後方可動部５２の上面部５２ａには連結部５２ｂの両側方に２個のローラ５２ｒが設けられる。側方可動部５３の上面部５３ａには連結部５３ｂの前方及び後方に２個のローラ５３ｒが設けられる。
【００９６】
また、前方可動部５１の係合部５１ｄにも同様に、連結部５１ｂの両側方に２個のローラ５１ｓ（図１８参照）が設けられる。後方可動部５２の弾性部５２ｄには連結部５２ｂの両側方に２個のローラ５２ｓ（図１９参照）が設けられる。側方可動部５３の弾性部５３ｄには連結部５３ｂの前方及び後方に２個のローラ５３ｓが設けられる。
【００９７】
図１８は前方可動部５１の上部の側面断面図を示している。ローラ５１ｒは上面部５１ａの下面上に軸支されて前後方向に延びる回転軸を有し、前壁３５ａに設けた前面レール部７１の上端面上を転動する。係合部５１ｄに軸支されるローラ５１ｓは上下方向に延びる回転軸を有し、前壁３５ａに設けた溝部７４の底壁上を転動する。尚、上面部５１ａにはローラ５１ｒが挿通される開口部５１ｈが設けられる。前面レール部７１と上面部５１ａの下面との距離が大きい場合は開口部５１ｈを省いてもよい。
【００９８】
図１９は後方可動部５２の上部の側面断面図を示している。ローラ５２ｒは上面部５２ａの下面上に軸支されて前後方向に延びる回転軸を有し、背壁３５ｂの上端面上を転動する。弾性部５２ｄに軸支されるローラ５２ｓは上下方向に延びる回転軸を有し、背壁３５ｂに設けた背面レール部７２上を転動する。尚、上面部５２ａにはローラ５２ｒが挿通される開口部５２ｈが設けられる。背壁３５ｂの上端面と上面部５２ａの下面との距離が大きい場合は開口部５２ｈを省いてもよい。
【００９９】
図２０は側方可動部５３の上部の側面断面図を示している。ローラ５３ｒは上面部５３ａの下面上に軸支されて左右方向に延びる回転軸を有し、側壁３５ｃの上端面上を転動する。弾性部５３ｄに軸支されるローラ５３ｓは上下方向に延びる回転軸を有し、側壁３５ｃの外周面上を転動する。尚、上面部５３ａにはローラ５３ｒが挿通される開口部５３ｈが設けられる。側壁３５ｃの上端面と上面部５３ａの下面との距離が大きい場合は開口部５３ｈを省いてもよい。
【０１００】
縦仕切部４１または横仕切部４２を上方から把持した際に前方可動部５１、後方可動部５２及び側方可動部５３は下方に加重され、上段ケース３５の上面との摺動摩擦が大きくなる。このため、ローラ５１ｒ、５２ｒ、５３ｒによって摺動摩擦を低減することができる。
【０１０１】
また、縦仕切部４１または横仕切部４２を把持して移動させる際に、前方可動部５１、後方可動部５２及び側方可動部５３は水平面内で傾斜して上段ケース３５の周面を押圧する。この時、把持位置から離れた前方可動部５１、後方可動部５２及び側方可動部５３の押圧荷重が大きくなるため、上段ケース３５の周面との摺動摩擦が大きくなる。このため、ローラ５１ｓ、５２ｓ、５３ｓによって摺動摩擦を低減することができる。
【０１０２】
ローラ５１ｒ、５２ｒ、５３ｒ、ローラ５１ｓ、５２ｓ、５３ｓはそれぞれ１個設けてもよいが、水平方向に離れて２個設けることによりスライド時のがたつきを抑制することができる。ローラ５１ｒ、５２ｒ、５３ｒ、ローラ５１ｓ、５２ｓ、５３ｓをそれぞれ３個以上設けてもよい。
【０１０３】
尚、ローラ５１ｒ及びローラ５１ｓの一方のみを設けてもよい。同様に、ローラ５２ｒ及びローラ５２ｓの一方のみを設けてもよく、ローラ５３ｒ及びローラ５３ｓの一方のみを設けてもよい。
【０１０４】
また、ローラ５１ｒ及びローラ５１ｓに替えて、前後方向に傾斜した回転軸を有して前壁３５ａの上端のコーナー上を転動するローラを設けてもよい。これにより、ローラの数量を減らして上下方向及び左右方向の摺動摩擦を低減することができる。同様に、ローラ５２ｒ及びローラ５２ｓに替えて、前後方向に傾斜した回転軸を有して背壁３５ｂの上端のコーナー上を転動するローラを設けてもよい。ローラ５３ｒ及びローラ５３ｓに替えて、左右方向に傾斜した回転軸を有して側壁３５ｃの上端のコーナー上を転動するローラを設けてもよい。
【０１０５】
また、上段ケース３５は冷却により収縮するため、ローラ５１ｓ、５２ｓ、５３ｓが上段ケース３５の外面上から離れる場合がある。このため、ローラ５１ｓ、５２ｓ、５３ｓを上段ケース３５の内面上を転動するようにそれぞれ連結部５１ｂ、５２ｂ、５３ｂ上に設けてもよい。
【０１０６】
第１〜第４実施形態において、平行移動する縦仕切部４１、４６及び横仕切部４２、４７が収納ケースを形成する上段ケース３５に設けられるが、下段ケース３４や収納ケース３１、３２に設けてもよい。また、縦仕切部４１、４６及び横仕切部４２、４７を設けた上段ケース３５を冷凍室８内や冷蔵室５内に設けてもよい。また、縦連結体や横連結体をＰＰバンド等の帯状部材により形成してもよい。
【産業上の利用可能性】
【０１０７】
本発明によると、収納ケース内に仕切りを設けた冷蔵庫に利用することができる。
【符号の説明】
【０１０８】
１    冷蔵庫
２    本体部
３    断熱箱体
５    冷蔵室
７、８  冷凍室
９    野菜室
１１、１２  仕切壁
１５、１７、１８、１９  扉
２０    機械室
２１    圧縮機
２２    冷却器
２３    送風機
２４、２５  冷気通路
３１、３２、３３  収納ケース
３４    下段ケース
３５    上段ケース
３５ａ  前壁
３５ｂ  背壁
３５ｃ  側壁
３５ｅ  把手部
４１、４６  縦仕切部
４１ａ、４１ｂ  縦連結体
４２、４７  横仕切部
４２ａ、４２ｂ、４７ａ、４７ｂ  横連結体
５１    前方可動部
５１ａ、５２ａ、５３ａ  上面部
５１ｂ、５２ｂ、５３ｂ  連結部
５１ｃ、５２ｃ、５３ｃ  孔部
５１ｄ  係合部
５１ｒ、５１ｓ、５２ｒ、５２ｓ、５３ｒ、５３ｓ  ローラ
５２    後方可動部
５２ｄ、５３ｄ  弾性部
５３ｅ、５３ｅ  爪部
５３    側方可動部
７１    前面レール部
７２    背面レール部
７３    側面レール部
７４    溝部
７５、７６  突設部
８０    操作部
８１    把持部
８１ａ  載置部
８１ｃ  開口部
８２    挟持部
８２ａ  筒部
８２ｃ、８２ｄ  腕部
８３    昇降部
８３ａ  外筒
８３ｂ  内筒
８３ｃ、８３ｄ  溝部
８３ｅ  鍔部
【図１】
0006688032.tif 000002
【図２】
0006688032.tif 000003
【図３】
0006688032.tif 000004
【図４】
0006688032.tif 000005
【図５】
0006688032.tif 000006
【図６】
0006688032.tif 000007
【図７】
0006688032.tif 000008
【図８】
0006688032.tif 000009
【図９】
0006688032.tif 000010
【図１０】
0006688032.tif 000011
【図１１】
0006688032.tif 000012
【図１２】
0006688032.tif 000013
【図１３】
0006688032.tif 000014
【図１４】
0006688032.tif 000015
【図１５】
0006688032.tif 000016
【図１６】
0006688032.tif 000017
【図１７】
0006688032.tif 000018
【図１８】
0006688032.tif 000019
【図１９】
0006688032.tif 000020
【図２０】
0006688032.tif 000021